(57)【要約】【課題】直噴ターボ機構搭載エンジンにおいて、低燃費と高い運動性能とを実現するとともに、ＬＳＰＩ現象を大幅に抑制することができる直噴ターボ機構搭載エンジン潤滑油組成物を提供する。【解決手段】基油に、（Ａ）スルフォネート、サリチレート、及びフェネートの各々のＣａ塩、Ｍｇ塩及びＮａ塩から選ばれる少なくとも１種の金属系清浄剤を、潤滑油組成物全量基準で金属量として１００質量ｐｐｍ以上２０００質量ｐｐｍ以下と、（Ｂ）ジチオリン酸亜鉛を潤滑油組成物全量基準でＰ量として５００質量ｐｐｍ以上２０００質量ｐｐｍ以下とを配合してなり、前記（Ａ）成分に対する（Ｂ）成分の質量比［（Ｂ）成分中のＰ量／（Ａ）成分中の金属量］が０．４５以上である直噴ターボ機構搭載エンジン用潤滑油組成物。【選択図】なし【特許請求の範囲】
【請求項１】
基油に、（Ａ）スルフォネート、サリチレート、及びフェネートの各々のＣａ塩、Ｍｇ塩及びＮａ塩から選ばれる少なくとも１種の金属系清浄剤を潤滑油組成物全量基準で金属量として１００質量ｐｐｍ以上２０００質量ｐｐｍ以下と、（Ｂ）ジチオリン酸亜鉛を潤滑油組成物全量基準でＰ量として５００質量ｐｐｍ以上２０００質量ｐｐｍ以下とを配合してなり、前記（Ａ）成分に対する（Ｂ）成分の質量比［（Ｂ）成分中のＰ量／（Ａ）成分中の金属量］が０．４５以上である直噴ターボ機構搭載エンジン用潤滑油組成物。
【請求項２】
硫酸灰分が、潤滑油組成物全量基準で０．８質量％以下である請求項１記載の直噴ターボ機構搭載エンジン用潤滑油組成物。
【請求項３】
［（Ｂ）成分中のＰ量／（Ａ）成分中の金属量］が０．５以上である請求項１または２に記載の直噴ターボ機構搭載エンジン用潤滑油組成物。
【請求項４】
［（Ｂ）成分中のＰ量／（Ａ）成分中の金属量］が０．６以上である請求項１〜３のいずれかに記載の直噴ターボ機構搭載エンジン用潤滑油組成物。
【請求項５】
さらに、粘度指数向上剤、酸化防止剤、及び摩擦調整剤から選ばれる少なくとも１種が配合される請求項１〜４のいずれかに記載の直噴ターボ機構搭載エンジン用潤滑油組成物。
【発明の詳細な説明】
【技術分野】
【０００１】
本発明は、潤滑油組成物、特に直噴ターボ機構搭載エンジンに好適に使用される潤滑油組成物に関する。
【背景技術】
【０００２】
従来、ガソリンエンジン、ディーゼルエンジン、各種産業用内燃機関等の潤滑用エンジン油に関しては、特許文献１におけるように、エンジンの摩擦損失低減効果を長期にわたって発現させるべく、また、特許文献２におけるように、排出ガス浄化能力、燃費特性、運転性能を最高レベルまでバランス良く引き出すべく、さらに、特許文献３におけるように、すす混入時の摩耗を抑制するとともに、長寿命化の実現と、排ガス後処理装置への影響を緩和すべくエンジン油の配合組成に着目した研究がなされてきた。
ところで、近年、車両の燃費性能向上を目的として直噴ターボ機構搭載エンジンの開発、市場展開が進められている。本機構では、従来の自然吸気エンジン（ＮＡ）と比べ、排気量当たりの出力を高くできる利点がある。更に、従来のターボ機構搭載エンジンと比較し、低側領域からターボ（過給）を活用することから、市街地走行等のエンジン低速領域での高出力化が可能である。以上のような背景から、直噴ターボ機構搭載エンジンでは、従来機構のエンジンと比べ同一出力時のエンジンの小型化（車両の軽量化）が可能となり、車両の燃費性能向上に大きく寄与することが可能であった。
【先行技術文献】
【特許文献】
【０００３】
【特許文献１】特開平５−１６３４９７号公報
【特許文献２】特開２００２−３１０００５号公報
【特許文献３】特開２００８−１２０９０８号公報
【発明の概要】
【発明が解決しようとする課題】
【０００４】
前述の理由により、直噴ターボ機構搭載エンジンについては、その有効性が認められている一方で、低速運転時の低速プレイグニッション（Low Speed Pre-Ignition、以下「ＬＳＰＩ」と称する）と呼ばれる現象が問題となっている。この現象は、低速運転状態において、設定された点火時期よりも早く着火してしまう現象で、その着火を起因としエンジンシリンダー内で異常燃焼（異常爆発）が起こることがある。
このように、ＬＳＰＩ現象に対しては早急な対策が必要であるが、その発生にエンジン油組成物の配合組成がいかに影響するかについては未だ不明であった。そのため、エンジン油組成とＬＳＰＩ現象の発生との関係に着目する知見はなかった。
すなわち、本発明の課題は、直噴ターボ機構搭載エンジンにおいて、低燃費と高い運動性能とを実現するとともに、ＬＳＰＩ現象を抑制することができる直噴ターボ機構搭載エンジン用潤滑油組成物を提供することにある。
【課題を解決するための手段】
【０００５】
本発明は、
［１］基油に、（Ａ）スルフォネート、サリチレート、及びフェネートの各々のＣａ塩、Ｍｇ塩及びＮａ塩から選ばれる少なくとも１種の金属系清浄剤を潤滑油組成物全量基準で金属量として１００質量ｐｐｍ以上２０００質量ｐｐｍ以下と、（Ｂ）ジチオリン酸亜鉛を潤滑油組成物全量基準でＰ量として５００質量ｐｐｍ以上２０００質量ｐｐｍ以下とを配合してなり、前記（Ａ）成分に対する（Ｂ）成分の質量比［（Ｂ）成分中のＰ量／（Ａ）成分中の金属量］が０．４５以上である直噴ターボ機構搭載エンジン用潤滑油組成物、
［２］硫酸灰分が、潤滑油組成物全量基準で０．８質量％以下である前記［１］記載の直噴ターボ機構搭載エンジン用潤滑油組成物、
【０００６】
［３］［（Ｂ）成分中のＰ量／（Ａ）成分中の金属量］が０．５以上である前記［１］または［２］に記載の直噴ターボ機構搭載エンジン用潤滑油組成物、
［４］［（Ｂ）成分中のＰ量／（Ａ）成分中の金属量］が０．６以上である前記［１］〜［３］のいずれかに記載の直噴ターボ機構搭載エンジン用潤滑油、
［５］さらに、粘度指数向上剤、酸化防止剤、及び摩擦調整剤から選ばれる少なくとも１種が配合される前記［１］〜［４］のいずれかに記載の直噴ターボ機構搭載エンジン用潤滑油組成物、
に関する。
【発明の効果】
【０００７】
直噴ターボ機構搭載エンジンにおいて、低燃費と高い運動性能とを実現するとともに、本発明の特定の配合組成を有する潤滑油組成物を用いることで、従来汎用されている内燃機関用エンジン油に比べ、大幅にＬＳＰＩ現象を抑制することが可能となる。
【発明を実施するための形態】
【０００８】
以下、本発明をさらに詳細に説明する。
本発明の直噴ターボ機構搭載エンジン用潤滑油組成物（以下、単に「潤滑油組成物」と称する場合がある）は、基油に、（Ａ）スルフォネート、サリチレート、及びフェネートの各々のＣａ塩、Ｍｇ塩及びＮａ塩から選ばれる少なくとも１種の金属系清浄剤を潤滑油組成物全量基準で金属量として１００質量ｐｐｍ以上２０００質量ｐｐｍ以下と、（Ｂ）ジチオリン酸亜鉛を潤滑油組成物全量基準でＰ量として５００質量ｐｐｍ以上２０００質量ｐｐｍ以下とを配合してなり、前記（Ａ）成分に対する（Ｂ）成分の質量比［（Ｂ）成分中のＰ量／（Ａ）成分中の金属量］が０．４５以上であることを特徴とする。
【０００９】
（基油）
本発明の直噴ターボ機構搭載エンジン用潤滑油組成物の基油については、特に制限はなく、従来、内燃機関用潤滑油の基油として使用されている鉱油や合成油の中から任意のものを適宜選択して使用することができる。
鉱油としては、例えばパラフィン基系原油、中間基系原油あるいはナフテン基系原油を常圧蒸留するか、あるいは常圧蒸留の残渣油を減圧蒸留して得られる留出油、またはこれを常法にしたがって精製することによって得られる精製油、例えば、溶剤精製油、水添精製油、脱蝋処理油、白土処理油などを挙げることができる。
【００１０】
また、合成油としては、例えば、炭素数８〜１４のα−オレフィンオリゴマーであるポリ−α−オレフィン、ポリブテン、各種のエステル（例えば、ポリオールエステル、二塩基酸エステル、リン酸エステルなど）、各種のエーテル（例えば、ポリフェニルエーテルなど）、ポリグリコール、アルキルベンゼン、アルキルナフタレンなどが挙げられる。
本発明においては、基油として上記鉱油、合成油をそれぞれ一種用いてもよく、二種以上組み合わせて用いてもよい。また、鉱油と合成油を混合して使用してもよい。
【００１１】
基油の粘度については、特に制限はなく、潤滑油組成物の用途に応じて適宜決定しうるが、通常１００℃の動粘度が２ｍｍ2／ｓ以上３０ｍｍ2／ｓ以下、好ましくは２ｍｍ2／ｓ以上１５ｍｍ2／ｓ以下、より好ましくは２ｍｍ2／ｓ以上１２ｍｍ2／ｓ以下である。１００℃における動粘度が２ｍｍ2／ｓ以上であると蒸発損失が少なく、一方、３０ｍｍ2／ｓ以下であると、粘性抵抗による動力損失があまり大きくないので、燃費改善効果が得られる。
また、基油としては、粘度指数が通常６０以上、好ましくは８０以上、より好ましくは１００以上である。粘度指数が６０以上の基油は、温度の変化による粘度変化が小さいため好ましい。
【００１２】
（（Ａ）金属系清浄剤）
本発明の直噴ターボ機構搭載エンジン用潤滑油組成物における（Ａ）成分の金属系清浄剤は、スルフォネート、サリチレート、及びフェネートの各々のＣａ塩、Ｍｇ塩及びＮａ塩から選ばれる少なくとも１種であり、具体的には各々スルフォネートのＣａ塩、Ｍｇ塩又はＮａ塩；サリチレートのＣａ塩、Ｍｇ塩又はＮａ塩；及びフェネートのＣａ塩、Ｍｇ塩又はＮａ塩の全ての中から選ばれる少なくとも１種である。
上記金属系清浄剤は、１種で使用してもよいが、２種以上組み合わせて使用することもできる。
【００１３】
本発明の直噴ターボ機構搭載エンジン用潤滑油組成物においては、（Ａ）成分の金属系清浄剤として、ＬＳＰＩ現象を顕著に抑制する観点から、スルフォネート、サリチレートまたはフェネートのＣａ塩が好ましく用いられる。
【００１４】
本発明において使用し得る金属系清浄剤としては、ピストン清浄性、及び酸中和性能の観点から、その過塩素酸法塩基価が５０ｍｇＫＯＨ／ｇ以上の過塩基性を有するものが好ましい。
上記観点から、この金属系清浄剤の塩基価は、より好ましくは１００ｍｇＫＯＨ／ｇ以上、さらに好ましくは１５０ｍｇＫＯＨ／ｇ以上５００ｍｇＫＯＨ／ｇ以下である。なお、ここでいう塩基価とは、ＪＩＳ  Ｋ２５０１「石油製品及び潤滑油−中和価試験法」の７．に準拠して測定される過塩素酸法による塩基価を意味する。
このような金属系清浄剤としては、炭素数１〜５０のアルキル基を有するものが好ましい。
【００１５】
本発明の直噴ターボ機構搭載エンジン用潤滑油組成物においては、（Ａ）成分の金属系清浄剤の配合量は、（Ａ）成分中のＣａ、Ｍｇ、Ｎａの金属量として、潤滑油組成物全量基準で１００質量ｐｐｍ以上２０００質量ｐｐｍ以下である。金属系清浄剤の配合量が金属量で２０００質量ｐｐｍを超えると、直噴ターボ機構搭載エンジンにおけるＬＳＰＩ現象を抑制する効果が不十分であり、一方、配合量が金属量で１００質量ｐｐｍ未満であれば、酸化安定性や高温清浄性、あるいは酸中和性等を確保することができず好ましくない。上記観点から、（Ａ）成分の金属系清浄剤の配合量は、金属量として潤滑油組成物基準で好ましくは５００質量ｐｐｍ以上１８００質量ｐｐｍ以下、より好ましくは１０００質量ｐｐｍ以上１７００質量ｐｐｍ以下、さらに好ましくは１０００質量ｐｐｍ以上１６００質量ｐｐｍ以下である。
【００１６】
（（Ｂ）ジチオリン酸亜鉛）
本発明の直噴ターボ機構搭載エンジン用潤滑油組成物は、（Ｂ）成分として、ジチオリン酸亜鉛を、（Ｂ）成分中のＰ量として潤滑油組成物全量基準で５００質量ｐｐｍ以上２０００質量ｐｐｍ以下配合してなる。
ジチオリン酸亜鉛（ＺｎＤＴＰ）としては、例えば下記一般式（Ｉ）
【００１７】
【化１】
2014152301.tif 000002
【００１８】
（式中、Ｒ1及びＲ2は、それぞれ独立に炭素数３〜２２の第１級もしくは第２級のアルキル基又は炭素数３〜１８のアルキル基で置換されたアルキルアリール基を示す。）
で表される構造のものを挙げることができる。
ここで、炭素数３〜２２の第１級もしくは第２級のアルキル基としては、第１級もしくは第２級のプロピル基、ブチル基、ペンチル基、ヘキシル基、へプチル基、オクチル基、ノニル基、デシル基、ドデシル基、テトラデシル基、ヘキサデシル基、オクタデシル基、イコシル基などが挙げられる。また、炭素数３〜１８のアルキル基で置換されたアルキルアリール基としては、例えばプロピルフェニル基、ペンチルフェニル基、オクチルフェニル基、ノニルフェニル基、ドデシルフェニル基などが挙げられる。
本発明の直噴ターボ機構搭載エンジン用潤滑油組成物においては、（Ｂ）成分として、上記ジチオリン酸亜鉛を単独で用いてもよく、２種以上組み合わせて用いてもよいが、特に第２級のアルキル基のジアルキルジチオリン酸亜鉛を主成分とするものが耐摩耗性を高める点から好ましい。
【００１９】
本発明の直噴ターボ機構搭載エンジン用潤滑油組成物においては、前記（Ｂ）成分のジチオリン酸亜鉛（ＺｎＤＴＰ）の配合量は、（Ｂ）成分中のＰ量として潤滑油組成物全量基準で５００質量ｐｐｍ以上２０００質量ｐｐｍ以下である。Ｐ量が５００質量ｐｐｍ以上であれば良好な耐摩耗性が発揮されると共に、低燃費性能が発現しやすくなり、また、直噴ターボ機構搭載エンジンにおけるＬＳＰＩ現象を抑制することができる。一方、Ｐ量が２０００質量ｐｐｍ以下であれば、自動車後処理装置である三元触媒への被毒影響を小さくすることができる。上記観点から、（Ｂ）成分のジチオリン酸亜鉛（ＺｎＤＴＰ）の好ましい配合量は、Ｐ量として潤滑油組成物基準で５００質量ｐｐｍ以上１５００質量ｐｐｍ以下であり、より好ましくは５００質量ｐｐｍ以上１０００質量ｐｐｍ以下であり、さらに好ましくは５００質量ｐｐｍ以上９５０質量ｐｐｍ以下である。
【００２０】
（（Ａ）成分に対する（Ｂ）成分の質量比［（Ｂ）成分中のＰ量／（Ａ）成分中の金属量］）
本発明の直噴ターボ機構搭載エンジン用潤滑油組成物においては、前記（Ａ）成分と（Ｂ）成分の質量比［（Ｂ）成分中のＰ量／（Ａ）成分中の金属量］が０．４５以上である。この値が０．４５以上であれば、直噴ターボ機構搭載エンジンにおけるＬＳＰＩ現象を十分に抑制することができる。上記観点から、（Ａ）成分に対する（Ｂ）成分の質量比［（Ｂ）成分中のＰ量／（Ａ）成分中の金属量］は０．５以上であることが好ましく、０．５５以上であることがより好ましい。なお、（Ｂ）成分の劣化由来の酸性成分の中和性能確保の観点から上記質量比の上限は１．０程度とすることが好ましい。
【００２１】
（その他の添加剤）
本発明の直噴ターボ機構搭載エンジン用潤滑油組成物には、さらに、粘度指数向上剤、酸化防止剤、及び摩擦調整剤から選ばれる少なくとも１種を配合することが好ましい。
粘度指数向上剤としては、例えば、ポリメタクリレート、分散型ポリメタクリレート、オレフィン系共重合体（例えば、エチレン−プロピレン共重合体など）、分散型オレフィン系共重合体、スチレン系共重合体（例えば、スチレン−ジエン共重合体、スチレン−イソプレン共重合体など）等が挙げられる。
これら粘度指数向上剤の配合量は、配合効果の点から、潤滑油組成物基準で、通常０．５質量％以上１５質量％以下程度であり、好ましくは１質量％以上１０質量％以下である。
【００２２】
また、酸化防止剤としては、フェノール系酸化防止剤、アミン系酸化防止剤、モリブデン系酸化防止剤等を好適に使用することができる。
フェノール系酸化防止剤としては、従来内燃機関用潤滑油の酸化防止剤として使用されている公知のフェノール系酸化防止剤の中から、任意のものを適宜選択して用いることができる。具体的には、例えば、２，６−ジ−ｔｅｒｔ−ブチル−４−メチルフェノール、２，６−ジ−ｔｅｒｔ−ブチル−４−エチルフェノール、２，４，６−トリ−ｔｅｒｔ−ブチルフェノール、２，６−ジ−ｔｅｒｔ−ブチル−４−ヒドロキシメチルフェノール、２，６−ジ−ｔｅｒｔ−ブチルフェノール、２，４−ジメチル−６−ｔｅｒｔ−ブチルフェノール、２，６−ジ−ｔｅｒｔ−ブチル−４−（Ｎ，Ｎ−ジメチルアミノメチル）フェノール、２，６−ジ−ｔｅｒｔ−アミル−４−メチルフェノール、４，４’−メチレンビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−イソプロピリデンビス（２，６−ジ−ｔｅｒｔ−ブチルフェノール）、２，２’−メチレンビス（４−メチル−６−ノニルフェノール）、２，２’−イソブチリデンビス（４，６−ジメチルフェノール）、２，２’−メチレンビス（４−メチル−６−シクロヘキシルフェノール）、２，４−ジメチル−６−ｔｅｒｔ−ブチルフェノール、４，４’−チオビス（２−メチル−６−ｔｅｒｔ−ブチルフェノール）、４，４’−チオビス（３−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−ブチルベンジル）スルフィド、ビス（３，５−ジ−ｔｅｒｔ−ブチル−４−ヒドロキシベンジル）スルフィド、２，２’−チオ−ジエチレンビス［３−（３，５−ジ−ｔｅｒｔ−ブチル−４−ヒドロキシフェニル）プロピオネート］、トリデシル−３−（３，５−ジ−ｔｅｒｔ−ブチル−４−ヒドロキシフェニル）プロピオネート、ペンタエリスリチル−テトラキス［３−（３，５−ジ−ｔｅｒｔ−ブチル−４−ヒドロキシフェニル）プロピオネート］、オクチル−３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、オクチル−３−（３−メチル−５−ｔｅｒｔ−ブチル−４−ヒドロキシフェニル）プロピオネート等を好ましい例として挙げることができる。
【００２３】
また、アミン系酸化防止剤としては、従来内燃機関用潤滑油の酸化防止剤として使用されている公知のアミン系酸化防止剤の中から、任意のものを適宜選択して用いることができる。このアミン系酸化防止剤としては、例えばジフェニルアミン系のもの、具体的にはジフェニルアミンやモノオクチルジフェニルアミン、モノノニルジフェニルアミン、４，４’−ジブチルジフェニルアミン、４，４’−ジヘキシルジフェニルアミン、４，４’−ジオクチルジフェニルアミン、４，４’−ジノニルジフェニルアミン、テトラブチルジフェニルアミン、テトラヘキシルジフェニルアミン、テトラオクチルジフェニルアミン、テトラノニルジフェニルアミンなどの炭素数３〜２０のアルキル基を有するアルキル化ジフェニルアミンなど；及びナフチルアミン系のもの、具体的にはα−ナフチルアミン、フェニル−α−ナフチルアミン、さらにはブチルフェニル−α−ナフチルアミン、ヘキシルフェニル−α−ナフチルアミン、オクチルフェニル−α−ナフチルアミン、ノニルフェニル−α−ナフチルアミンなどの炭素数３〜２０のアルキル置換フェニル−α−ナフチルアミン；等が挙げられる。これらの中で、ジフェニルアミン系が、効果の点から好ましく、特に炭素数３〜２０のアルキル基を有するアルキル化ジフェニルアミン、とりわけ４，４’−ジ（Ｃ３〜Ｃ２０アルキル）ジフェニルアミンが好適である。
【００２４】
モリブデン系酸化防止剤としては、モリブデン・アミン錯体が好ましいものとして挙げられ、該モリブデン・アミン錯体としては、６価のモリブデン化合物、具体的には三酸化モリブデン及び／又はモリブデン酸とアミン化合物とを反応させてなるもの、例えば特開２００３−２５２８８７号公報に記載の製造方法で得られる化合物を用いることができる。
前記６価のモリブデン化合物とアミン化合物との反応比は、アミン化合物１モルに対し、モリブデン化合物のＭｏ原子のモル比が、０．７〜５であることが好ましく、０．８〜４であることがより好ましく、１〜２．５であることがさらに好ましい。反応方法については特に制限はなく、従来公知の方法、例えば特開２００３−２５２８８７号公報に記載されている方法を採用することができる。
また本発明においては、モリブデン系酸化防止剤として、上記モリブデン・アミン錯体以外に、特公平３−２２４３８号公報、特開２００４−２８６６号公報などに記載されているコハク酸イミドの硫黄含有モリブデン錯体を用いることもできる。
【００２５】
本発明の直噴ターボ機構搭載エンジン用潤滑油組成物においては、前記した酸化防止剤を１種用いてもよく、２種以上を組み合わせて用いてもよい。
酸化防止剤の配合量は、効果及び経済性のバランスなどの点から、潤滑油組成物全量基準で、好ましくは０．０５質量％以上７質量％以下、より好ましくは０．０５質量％以上５質量％以下の範囲で選定される。
【００２６】
摩擦調整剤としては、内燃機関用潤滑油の摩擦調整剤として通常用いられる任意の化合物がいずれも使用可能であり、例えば、炭素数６〜３０のアルキル基またはアルケニル基、特に炭素数６〜３０の直鎖アルキル基または直鎖アルケニル基を分子中に少なくとも１個有する、脂肪族アミン、脂肪酸エステル、脂肪酸アミド、脂肪酸、脂肪族アルコール、脂肪族エーテル等の無灰摩擦調整剤；ジチオカルバミン酸モリブデン（ＭｏＤＴＣ）、ジチオリン酸モリブデン（ＭｏＤＴＰともいう） 及びモリブデン酸のアミン塩から選ばれる少なくとも一種モリブデン系摩擦調整剤；等が挙げられ、その配合量は、潤滑油組成物全量基準で、通常０．０１質量％以上３質量％以下、好ましくは０．１質量％以上２．０質量％以下の範囲である。
【００２７】
本発明の直噴ターボ機構搭載エンジン用潤滑油組成物には、本発明の目的を損なわない範囲で、必要に応じ、さらに他の添加剤を配合することができる。
他の添加剤としては、例えば前記（Ａ）成分以外の金属系清浄剤；イオウ系（スルフィド類、スルフォキシド類、スルフォン類、チオホスフィネート類など）、ハロゲン系（塩素化炭化水素など）、有機金属系等の極圧剤；硼素含有無灰分散剤又は硼素含有無灰分散剤と硼素未含有無灰分散剤との組合わせ等の無灰分散剤；さらには石油スルホネート、アルキルベンゼンスルホネート、ジノニルナフタレンスルホネート、アルケニルコハク酸エステル、及び多価アルコールエステル等の防錆剤；腐食防止剤；硫黄含有摩耗防止剤、リン含有摩耗防止剤、硫黄及びリン含有摩耗防止剤等の耐摩耗剤；シリコーン、フルオロシリコール、及びフルオロアルキルエーテル等の消泡剤；ポリオキシエチレンアルキルエーテル、ポリオキシエチレンアルキルフェニルエーテル、及びポリオキシエチレンアルキルナフチルエーテル等のポリアルキレングリコール系非イオン系界面活性剤等の界面活性剤；ベンゾトリアゾール系、トリルトリアゾール系、チアジアゾール系、及びイミダゾール系化合物等の金属不活性化剤；エチレン−酢酸ビニル共重合体、塩素化パラフィンとナフタレンとの縮合物、塩素化パラフィンとフェノールとの縮合物、ポリメタクリレート、ポリアルキルスチレン等の流動点降下剤；などを挙げることができる。
上記他の添加剤は、本発明の目的を損なわない範囲内の量で適宜潤滑油組成物に配合することができる。
【００２８】
（硫酸灰分）
本発明の直噴ターボ機構搭載エンジン用潤滑油組成物においては、その硫酸灰分が潤滑油組成物全量基準で０．８質量％以下であることが好ましい。
硫酸灰分が０．８質量％以下であれば、直噴ターボ機構搭載エンジンにおけるＬＳＰＩ現象を抑制することができ、また、自動車後処理装置であるＤＰＦ（ディーゼルパティキュレートフィルター）の閉塞を緩和することができる。この観点から、より好ましい硫酸灰分は０．７質量％以下であり、さらに好ましくは０．６質量％以下である。
なお、この硫酸灰分とは、ＪＩＳ  Ｋ  ２２７２の５．「硫酸灰分試験方法」に規定される方法により測定される値であり、試料を燃やして生じた炭化残留物に硫酸を加えて加熱し、恒量にした灰分をいい、通常潤滑油組成物中の金属系添加剤の大略の量を知るために用いられる。
【００２９】
本発明においては、上述の配合組成を有する本発明の潤滑油組成物を直噴ターボ機構搭載エンジン用の潤滑油として用いる。それにより、燃費に優れる直噴エンジンにターボ機構を装着し、低燃費と高い運動性能とを両立した直噴ターボ機構搭載エンジンにおいて、ＬＳＰＩ現象を大幅に抑制することが可能となった。
【実施例】
【００３０】
次に、実施例により本発明を具体的に説明するが、本発明はこれらの例によって何ら制限されるものではない。
以下の実施例等において、潤滑油組成物の性状の測定、性能評価は、下記のように行った。
［潤滑油組成物の性状］
潤滑油組成物の各性状は、以下の方法で測定した。
（１）動粘度（１００℃）：ＪＩＳ  Ｋ  ２２８３に準拠
（２）硫酸灰分：ＪＩＳ  Ｋ２２７２に準拠
【００３１】
［評価項目・評価方法］
・ＬＳＰＩ性能
ターボ（過給）機構を備えた試作エンジンを用い、最もＬＳＰＩ発生の頻度が高くなる条件にて、一定時間運転した際のＬＳＰＩ発生頻度を測定した。
【００３２】
＜実施例１〜５及び比較例１＞
表１に示す基油に同表に示す各種添加剤を配合して潤滑油組成物を調製した後、得られた潤滑油組成物の各々について、前記の通りＬＳＰＩ性能を評価した。同表の比較例１に示す潤滑油組成物を用いた際のＬＳＰＩ発生頻度を基準とし、各潤滑油組成物を用いた際のＬＳＰＩ発生頻度を相対値として示す。
【００３３】
【表１】
2014152301.tif 000003
【００３４】
なお、使用した基油及び各添加剤は以下の通りである。
（１）基油：１００Ｎ鉱油（１００℃動粘度：４ｍｍ2／ｓ、粘度指数：１３０、ＡＰＩベースオイルカテゴリー：Ｇｒ．III）及び合成油（１００℃動粘度：６ｍｍ2／ｓ、ポリ−α−オレフィン（ＰＡＯ））
【００３５】
（２）耐摩耗剤：ジチオリン酸亜鉛（Ｚｎ含有量：９．０質量％、リン含有量：８．２質量％、硫黄含有量：１７．１質量％）
（３）粘度指数向上剤：ポリメタアクリレート（重量平均分子量：３００，０００）、配合量は、潤滑油組成物の１００℃動粘度が８．２ｍｍ2／ｓとなる量とした。
（４）金属系清浄剤：Ｃａスルフォネート、及びＣａフェネート
（５）無灰分散剤：高分子アルキルコハク酸イミド、及びＢ変性アルキルコハク酸イミド
（６）酸化防止剤：ジフェニルアミン、アルキルフェノール、モリブデン系酸化防止剤
（７）摩擦調整剤：モリブデンジチオカーバメイト（Ｍｏ含有量：１．０質量％）、エステル系摩擦調整剤
（８）その他の添加剤
・金属不活性化剤：銅不活性化剤
・消泡剤：シリコーン系消泡剤
【００３６】
実施例１〜５では、それぞれＣａ量が０．１１〜０．１７質量％の範囲、かつＰ／Ｃａ質量比が０．５３〜０．８２の範囲であり、ＬＳＰＩ発生頻度は、比較例１対比６０％以下と発生頻度が低かった。
一方、比較例１では、Ｃａ量が０．２２質量％、Ｐ／Ｃａ質量比が０．４１であり、ＬＳＰＩ発生頻度は、実施例１〜５対比で高かった。
【産業上の利用可能性】
【００３７】
本発明の潤滑油組成物は、ＬＳＰＩ現象を大幅に抑制することが可能となることから、低燃費と高い運動性能とを実現できる直噴ターボ機構搭載エンジン用の潤滑油組成物として好適に使用することができる。